(57)【要約】【課題】遊技機から球抜き作業を行なう際の球零れや遊技機部品の破損を防ぐことができる遊技機を提供する。【解決手段】球抜き機構１８は、外枠２に対して内枠３を開放した状態で操作可能な操作部材２９を備え、該操作部材２９を所定位置へ操作した後、内枠３を外枠２に対して閉鎖状態にすることで開閉弁２７が球誘導路２４と球抜き通路２６を連通状態とすることを許容され、球誘導路２４の遊技球が球抜き通路２６を経て機外へ排出される。【選択図】図１３
2011015845.tif 000002
【特許請求の範囲】
【請求項１】
遊技機外形をなす外枠と、
該外枠に対してヒンジ部を中心に開閉可能に設けられた内枠と、
遊技球を貯留する貯留タンクに接続するタンクレールより球誘導路へ流下した遊技球を順次払い出す球払出手段と、
前記球誘導路に貯留された遊技球を球抜き通路を経て機外へ排出する球抜き手段と、を備えた遊技機であって、
前記球抜き手段は、前記球誘導路と球抜き通路を連通状態とする開閉弁と、前記開閉弁が前記球誘導路と球抜き通路を連通状態とすることを許容する操作部材を備え、
前記操作部材は、前記外枠に対して内枠を開放した状態で操作可能であり、該操作部材を所定位置へ操作した後、前記内枠を外枠に対して閉鎖状態にすることで前記開閉弁が前記球誘導路と球抜き通路を連通状態とすることを許容され、前記球誘導路の遊技球が前記球抜き通路を経て機外へ排出されることを特徴とする遊技機。
【請求項２】
前記操作部材が所定位置へ操作された後、前記内枠を外枠に対して閉鎖状態にする際に当該外枠に前記操作部材が当接することによって前記開閉弁が前記球誘導路と球抜き通路を連通状態にすることを許容される請求項１記載の遊技機。
【請求項３】
前記球抜き通路は、前記外枠に対して内枠が閉鎖状態にあるとき、前記内枠側部と外枠側部とで形成される請求項１又は２記載の遊技機。
【請求項４】
前記球抜き手段は、前記開閉弁を前記球誘導路に遊技球が貯留するように位置規制するとともに、前記操作部材を可動可能に支持する規制部材を備えた請求項１乃至３のいずれか１項記載の遊技機。
【請求項５】
前記球払出手段は、前記球誘導路より遊技球を下流側へ払い出す回転体を備え、前記規制部材による開閉弁の位置規制が解除されると、前記回転体に受け止められた最先の遊技球に連なる次の遊技球と後続球の球圧によって前記開閉弁が開放されて前記球誘導路と球抜き通路を連通状態とする請求項４記載の遊技機。
【請求項６】
前記球払出手段と球抜き手段はユニット化されており、前記内枠背面側に一体に組み付けられる請求項１乃至５のいずれか１項に記載の遊技機。
【発明の詳細な説明】
【技術分野】
【０００１】
本発明は、遊技機に関する。
【背景技術】
【０００２】
パチンコ機などの遊技機には、遊技機本体の上辺部に設けられる貯留タンクにホールの島から遊技球が供給される。貯留タンクに供給された遊技球は、タンクレールを通じて遊技機本体の側部に沿って上下に配置された球通路に整列して誘導され、当該球通路内を流下して球払出装置へ供給される。球払出装置は、払出指令に応じて所定数の貸球や賞球などの遊技球が球払出通路を経て球受け皿へ払い出されるようになっている。
【０００３】
近年の図柄表示装置（液晶表示装置）の大型化やセンター役物の大型化に伴い、遊技領域の後方のスペース拡大が望まれている。遊技機背面側（内枠）には、遊技球を貸球や賞球として払い出す球払出装置が設けられ、球払出装置から遊技球が流下する球払出通路が設けられる。
【０００４】
遊技領域後方のスペース拡大を図るためには、球払出装置は遊技機後方のヒンジ側においてタンクレールの終端部（内枠上部）に設けるか若しくはタンクレールに接続する球通路の下流側（内枠下部）に設けるかのいずれかとなる。内枠下部には前面側に球発射装置、背面側に球払出動作を制御する払出制御基板等が設けられるため、球払出装置を設けるスペースが確保し難い。よって、球払出装置をタンクレールの終端部（内枠上部）に設けた遊技機が提案されている。この遊技機では、球払出装置を遊技機から取り外す動作に伴って、遊技球の球抜き動作を開始させるようになっている（特許文献１）。
【先行技術文献】
【特許文献】
【０００５】
【特許文献１】特開２００６−３４５９００号公報
【発明の開示】
【発明が解決しようとする課題】
【０００６】
上述した特許文献１の遊技機においては、球払出装置や球通路で球詰まりが発生すると、球払出装置より上流側の球誘導路に存在する遊技球を球抜き通路から機外へ排出する作業が必要になる。このとき、一旦内枠を外枠から開放してロック部のレバーをロック解除位置へ回動する必要があるが、レバー操作に伴って開放弁が開放されて貯留タンクから供給される遊技球が球誘導路から球抜き通路へ誘導されて機外へ落下して散乱するおそれがある。このため、一旦開放した内枠を急いで閉める必要があり、作業者に負担となるうえに内枠を急いで外枠に閉める際の衝撃により遊技機部品が破損するおそれもある。
【０００７】
本発明の目的は、上記実情に鑑みてなされたものであり、遊技機から球抜き作業を行なう際の球零れや遊技機部品の破損を防ぐことができる遊技機を提供することにある。
【課題を解決するための手段】
【０００８】
本発明は上記目的を達成するため、次の構成を備えることを特徴とする。
遊技機外形をなす外枠と、該外枠に対してヒンジ部を中心に開閉可能に設けられた内枠と、遊技球を貯留する貯留タンクに接続するタンクレールより球誘導路へ流下した遊技球を順次払い出す球払出手段と、前記球誘導路に貯留された遊技球を球抜き通路を経て機外へ排出する球抜き手段と、を備えた遊技機であって、前記球抜き手段は、前記球誘導路と球抜き通路を連通状態とする開閉弁と、前記開閉弁が前記球誘導路と球抜き通路を連通状態とすることを許容する操作部材を備え、前記操作部材は、前記外枠に対して内枠を開放した状態で操作可能であり、該操作部材を所定位置へ操作した後、前記内枠を外枠に対して閉鎖状態にすることで前記開閉弁が前記球誘導路と球抜き通路を連通状態とすることを許容され、前記球誘導路の遊技球が前記球抜き通路を経て機外へ排出されることを特徴とする。
【０００９】
また、前記操作部材が所定位置へ操作された後、前記内枠を外枠に対して閉鎖状態にする際に当該外枠に前記操作部材が当接することによって前記開閉弁が前記球誘導路と球抜き通路を連通状態にすることを許容されることを特徴とする。
【００１０】
また、前記球抜き通路は、前記外枠に対して内枠が閉鎖状態にあるとき、前記内枠側部と外枠側部とで形成されることを特徴とする。
【００１１】
また、前記球抜き手段は、前記開閉弁を前記球誘導路に遊技球が貯留するように位置規制するとともに、前記操作部材を可動可能に支持する規制部材を備えたことを特徴とする。
【００１２】
また、前記球払出手段は、前記球誘導路より遊技球を下流側へ払い出す回転体を備え、前記規制部材による開閉弁の位置規制が解除されると、前記回転体に受け止められた最先の遊技球に連なる次の遊技球と後続球の球圧によって前記開閉弁が開放されて前記球誘導路と球抜き通路を連通状態とすることを特徴とする。
【００１３】
また、前記球払出手段と球抜き手段はユニット化されており、前記内枠背面側に一体に組み付けられることを特徴とする。
【発明の効果】
【００１４】
上述した遊技機を用いれば、外枠に対して内枠を開放した状態で、球抜き手段に設けた操作部材を所定位置へ操作した後、内枠を外枠に対して閉鎖状態にすることで開閉弁が球誘導路と球抜き通路を連通状態とすることを許容され、球誘導路の遊技球が球抜き通路を経て機外へ排出される。よって、内枠を外枠より開放した状態では球抜き動作が行なわれず、内枠を外枠に閉鎖することで球抜き動作を開始するので、遊技機からの遊技島外への球零れを防ぐことができる。また、操作部材を操作しても内枠開放状態では球抜き動作が開始されないので、一旦開放した内枠を急いで閉める必要もなくなり、球抜き作業の労力を軽減しかつ遊技機部品の破損を防ぐことができる。
【００１５】
また、操作部材が所定位置へ操作された後、内枠を外枠に対して閉鎖状態にする際に当該外枠に操作部材が当接することによって開閉弁が球誘導路と球抜き通路を連通状態にすることを許容されるので、内枠が外枠に閉まるタイミングと開閉弁が球誘導路と球抜き通路を連通状態にするタイミングがほぼ一致するので、簡易な構成で確実な球抜き動作が行なえる。
【００１６】
また、球抜き通路は、外枠に対して内枠が閉鎖状態にあるとき、内枠側部と外枠側部とで形成されることにより、操作部材を含む球抜き手段を外枠側部側に配置することができ、遊技機後方領域を拡大することができる。
【００１７】
また、球抜き手段は、開閉弁を球誘導路に遊技球が貯留するように位置規制するとともに、操作部材を可動可能に支持する規制部材を備えていると、内枠を開放して操作部材を移動操作し、再度内枠を外枠に閉じると、操作部材が外枠と開放干渉して押されることにより規制部材による開閉弁の位置規制が解除される。よって、内枠の外枠に対する開閉動作に合わせて小型で簡易な構成で開閉弁の開閉動作を追従させることができる。
【００１８】
規制部材による開閉弁の位置規制が解除されると、回転体に受け止められた最先の遊技球に連なる次の遊技球と後続球の球圧によって開閉弁が開放されて球誘導路と球抜き通路を連通状態とするので、回転体の負荷を軽減しつつ球圧による開閉弁の開放を許容することで簡易な構成で球抜き動作を開始することができる。また、回転体に受け止められて払出待機位置に存在する最先の遊技球に開閉弁が当接しないので、払出位置における回転体と通路壁とのクリアランスを維持して払出動作を安定させることができる。
【００１９】
球払出手段と球抜き手段はユニット化されており、内枠背面側に一体に組み付けられるので、遊技機への着脱作業が容易に行なえる。
【図面の簡単な説明】
【００２０】
【図１】パチンコ機の正面図である。
【図２】図１のパチンコ機の背面図である。
【図３】球払出ユニットの外観斜視図である。
【図４】球払出ユニットの分解斜視図である。
【図５】球払出ユニットの正面図及び右側面図である。
【図６】図５の矢印Ａ−Ａ断面図である。
【図７】図５の矢印Ｂ−Ｂ断面図である。
【図８】図５の矢印Ｃ−Ｃ断面図である。
【図９】払出通路及び球抜き通路を含む球通路の要部断面図である。
【図１０】内枠開閉動作と球抜き通路の形成との関係を示す要部断面図である。
【図１１】球抜き通路の球抜き動作を示す説明図である。
【図１２】球払出ユニットの球抜き操作の説明図である。
【図１３】球払出ユニットの球抜き動作の状態説明図である。
【発明を実施するための形態】
【００２１】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２２】
先ずパチンコ機１の概略構成について説明すると、図１において、パチンコ機１の外形をなす矩形状の外枠２の側部に対してヒンジ（図示せず）により内枠３（図２参照）が開閉可能に取り付けられ、該内枠３の側部に対して上ヒンジ部４ａ，下ヒンジ部４ｂにより前面枠（ガラス枠）５が開閉可能に取り付けられている。前面枠５には窓部５ａに内枠３に設けられる遊技盤６の遊技領域を視認する透明板５ｂ（図１０（ａ）（ｂ）参照）が組み付けられている。
【００２３】
パチンコ機本体（内枠３）の前面側であり遊技盤６の下方には遊技領域へ向かって遊技球を発射する球発射装置（図示せず）が組み付けられている。また、遊技盤６の遊技領域は、ガイドレール７によって全体として円形に形成され、その遊技領域には図柄表示装置（液晶表示装置）８、電動チューリップ９，アタッカー１０などの入賞装置等が設けられている。ここで、パチンコ機本体とは、パチンコ機前面を覆う窓部５ａが形成された前面枠５を除く部位、例えば外枠２、内枠３、遊技盤６などを含む部位をいうものとする。
【００２４】
また、図１において、前面枠５の上辺部に沿って装飾装置１１が設けられている。また、前面枠５の下方には貸球や賞球等の遊技球を一時的に貯留し、該遊技球を球発射装置へ誘導する球受け皿１２が一体に設けられている。球受け皿１２の右側には、球発射装置によって遊技領域へ発射される遊技球の発射力を調節するための発射ハンドル１３が設けられている。
【００２５】
図２において、内枠３の背面側上辺部には貯留タンク１４が設けられ、貯留タンク１４にはパチンコ機１が配置されたホールの島から遊技球が供給される。貯留タンク１４は、球供給方向下流側（図２の右端側）に設けられるタンクレール１５に向けて底部が下方に傾斜するように形成されている。タンクレール１５の終端部（下流端）には球払出ユニット１６が設けられている。球払出ユニット１６は、球払出装置１７（球払出手段）と球抜き機構１８（球抜き手段）を一体化して、内枠３のヒンジ部４ａ，４ｂ側である左側部（正面視）に沿って設けられている。球払出ユニット１６より払い出された貸球、賞球等の遊技球は、球払出通路１９を流下して球払出樋２０を経て球受け皿１２（図１参照）へ払い出される。
【００２６】
遊技盤６の背面側は遊技動作を統括制御する主制御基板や図柄表示装置を制御する画像処理基板等（図示せず）が設けられており、これらは盤裏カバー２１に覆われている。盤裏カバー２１の下方には、アウト球集合樋２２やパチンコ機１の電源電圧を制御する電源基板や球払出装置１８の払出し動作を制御する払出制御基板などの制御ユニットが基板ケースカバー２３に覆われている。
【００２７】
次に、球払出ユニット１６の構成について、図３乃至図９を参照して組立て構成とともに説明する。
図３において、球払出ユニット１６に設けられる球払出装置１７と球抜き機構１８は、ベース部１６ａにケース体１６ｂを組み合わされてなるユニット本体に一体に組み付けられている。
【００２８】
図９において、球払出ユニット１６は、遊技球を貯留する貯留タンク１４に接続するタンクレール１５の終端部に球払出装置１７が接続するように設けられている。球払出装置１７には、タンクレール１５より遊技球を流下させる湾曲した球誘導路２４と、該球誘導路２４へ流下した遊技球を順次払い出す回転体２５（球払出手段）を備えている。回転体２５には、図７に示すように球誘導路２４を流下する遊技球を受け止める円弧部２５ａと遊技球を収容したまま送り出す球受け凹部２５ｂが回転方向に交互に設けられている。球誘導路２４はクランク状に屈曲した球通路であり、タンクレール１５から落下した遊技球の球圧を軽減している。
【００２９】
また、図９において、球抜き機構１８は、球誘導路２４に貯留された遊技球を球抜き通路２６を経て機外へ排出する。球抜き通路２６は、後述するように外枠２に対して内枠３が閉鎖状態にあるとき、内枠側部３ａと外枠側部２ａとで形成される。
外枠側部（左辺部及び右辺部）２ａは板厚の薄い金属材（アルミ材）若しくは樹脂材で構成され、外枠上辺部２ｇ及び外枠下辺部も同様であるが少なくとも遊技島に固定されるクランプ部には木材が用いられる。
【００３０】
球抜き機構１８は、球誘導路２４の側壁の一部を形成する開閉弁２７を備えている。図６に示すように、開閉弁２７は、ケース体１６ｂに設けられたボス部１６ｃを軸孔２７ａに嵌合させてベース部１６ａ側よりボス部１６ｃの中心穴にねじ３０を嵌合させて開閉弁２７がボス部１６ｃを中心に回転可能に組み付けられている（図４参照）。また、図７に示すように、開閉弁２７の軸孔２７ａの周縁部には突起２７ｂが突設されている。また、開閉弁２７の自由端側の一部には、球誘導路２４に臨む湾曲形状の通路壁２７ｃが形成されている。開閉弁２７は、後述するように、通路壁２７ｃの先端当接部２７ｄが、回転体２５と対向する通路壁３５（固定壁）の端部３５ａと当接するように位置規制されている。
【００３１】
また、図９において、球抜き機構１８は、外枠２に対して内枠３を開放した状態で操作可能な操作部材２９を備えている。また、操作部材２９は、図５及び図６に示すように規制部材２８に対して可動可能に支持されている。本実施例では図６に示すように規制部材２８に突設されたボス部２８ａを操作部材２９の軸孔２９ａに嵌合させて、ボス部２８ａの中心穴にねじ３１を嵌合させることにより操作部材２９がボス部２８ａを中心に回転可能に組み付けられている（図４参照）。操作部材２９は、ベース部材１６ａに突設されたストッパー１６ｄに規制片２９ｃが押し当てられて規制部材２８と重なり合った状態で位置決めされている（図５，図８参照）。ストッパー１６ｄは、ベース部材１６ａにスリット１６ｇにより変形可能な舌片の先端部に設けられている（図５参照）。
【００３２】
図５，図７において、操作部材２９の先端（自由端）側には、円弧状係合部２９ｂが形成されており、該円弧状係合部２９ｂは規制部材２８の軸部２８ｂの外周面に倣って係合している。後述するように、操作部材２９は、内枠２を開放した状態で、操作部材２９の円弧状係合部２９ｂが軸部２８ｂから離間するように規制片２９ｃがストッパー１６ｄを押圧する（弾性変形させる）ことで当該ストッパー１６ｄによる規制を一時的に解除して回転操作されるようになっている。
【００３３】
また、図６において、規制部材２８は、ベース部１６ａに突設されたボス部１６ｅが軸部２８ｂの軸孔２８ｃに嵌合している。そして、ボス部１６ｅの中心穴にねじ３２を嵌合することでベース部１６ａに組み付けられている（図４参照）。規制部材２８は、開閉弁２７が球誘導路２４の側壁の一部を形成するように位置規制している。具体的には、図６において、ボス部１６ｅとベース部１６ａの反対側に突設されたボス部１６ｆにはねじりコイルばね３４が巻き付けられて一端が固定されている。ねじりコイルばね３４はボス部１６ｆの中心穴にベース部１６ａ側よりねじ３３を嵌合することにより組み付けられている。ねじりコイルばね３４の他端はベース部１６ａに設けられたスリット１６ｇを介して規制部材２８に固定されている。
【００３４】
これにより、図７において、規制部材２８は軸部２８ｂを中心に反時計回り方向へ常時付勢されている。このため、規制部材２８の先端（自由端）側は、開閉弁２７の軸孔２７ａの周囲に突設されたストッパー２７ｂに押し当てられる。このとき、開閉弁２７には、ボス部１６ｃを中心とする時計回り方向の回転モーメントが作用する。開閉弁２７は、回転体２５と対向する通路壁３５の端部３５ａに、先端当接部２７ｄが当接したまま球誘導路２４を閉鎖した状態で保持されている。
【００３５】
図９において、回転体２５の下流側には、誘導型近接スイッチ３６が設けられており、回転体２５により払い出される遊技球の数のカウントするようになっている。誘導型近接スイッチ３６には空芯の検出コイルが設けられており、高周波磁界が発生している。この検出コイル近傍を遊技球が通過すると電磁誘導により誘導電流（渦電流）が流れて検出コイルのインピーダンスが変化する。このときの発振パルスを検出回路で検出して払い出される遊技球をカウントするようになっている。また、図６に示すように、回転体２５は、モータ３７により回転駆動される。モータ軸３７ａには周縁部にスリット３８ａが等間隔で形成された回転板３８が嵌め込まれている。回転板３８のスリット３８ａは、払出検出基板３９に設けられたフォトセンサ３９ａにより検出される（図４参照）。払出検出基板３９にはコネクタ３９ｂが設けられており、図示しない払出制御基板と配線接続される（図５参照）。
【００３６】
図６において、遊技球を回転体２５へ誘導する球誘導路２４は仕切り板２４ａにより２条分の誘導路（第１球誘導路２４ｂ，第２球誘導路２４ｃ）が設けられている。回転体２５より下流側で第１球誘導路２４ｂと第２球誘導路２４ｃが合流して計数センサ３６を通過するようになっている。図７において、計数センサ３６より下流側には、連絡通路４０が形成されており、図９に示す球払出通路１９に連絡している。連絡通路４０には、満タンスイッチ４１が軸部４２を中心に揺動可能に設けられている。満タンスイッチ４１は、軸孔４１ａに軸部４２を挿通して当該軸部４２がベース部１６ａとケース体１６ｂに挟み込まれて組み付けられる（図４参照）。満タンスイッチ４１の近傍には、満タン検出基板４３が設けられている。満タン検出基板４３には、フォトセンサ４３ａが設けられている。球受け皿１２（図１参照）が満タンになり球払出通路１９に払い出された遊技球が蓄積され、連絡通路４０にまで貯留されると、満タンスイッチ４１が球圧により押し込まれて。満タン検出基板４３に設けられたフォトセンサ４３ａにより検出される（図４参照）。満タンスイッチ４１により満タンが検出されると、回転体２５を駆動するモータ３７の駆動を停止させるようになっている。満タン検出基板４３には、コネクタ４３ｂが設けられており、図示しない払出制御基板と配線接続されている。
【００３７】
図６において、モータ軸３７ａは回転板３８と嵌合しており、回転板３８の軸部周縁部には第１回転体２５ｃが形成されている。また、第１回転体２５ｃは、第２回転体２５ｄの軸部と一体に嵌め合うようになっている。第１回転体２５ｃと第２回転体２５ｄにより回転体２５が形成されている（図４参照）。
【００３８】
図４において、第１回転体２５ｃはベース部１６ａの軸孔１６ｈを挿通して一方の第１球誘導路２４ｂに臨んで配置される。また第２回転体２５ｄの軸方向一部は第１球誘導路２４ｂに臨んで配置され、その他は仕切り板２４ａに設けられた軸孔２４ｄを挿通して第２球誘導路２４ｃに臨んで配置される。第１球誘導路２４ｂと第２球誘導路２４ｃとでは、第１，第２回転体２５ｃ，２５ｄの外周面に球受け凹部２５ｂが位相を異にして各々形成されている。具体的には、第２回転体２５ｄの外周面に形成された球受け凹部２５ｂ、第１回転体２５ｃの外周面に形成された球受け凹部２５ｂとは、周方向で位相が９０度異なる位置に形成されている。また、第１球誘導路２４ｂと第２球誘導路２４ｃにわたって配置される第２回転体２５ｄは、遊技球を受け止める円弧部２５ａは第１，第２誘導通路２４ｂ，２４ｃに応じた軸方向位置で周方向に９０度位相が異なる位置に突出形成されている。
【００３９】
図９において、球抜き機構１８の開放弁２７が開放されると、球誘導路２４に供給された遊技球は、球抜き通路２６へ誘導される。そして、図１１において、球抜き通路２６を流下した遊技球は、当該球抜き通路２６の下端で受け口４４ａが開口する球抜き受け４４に受け入れられて、アウト球集合樋２２を通じて機外に排出される。
【００４０】
図１０（ａ）に示すように、内枠３が外枠２に閉じた状態で、ヒンジ部４ａ，４ｂ側の内枠側部（正面視；内枠左辺部）３ａと外枠側部（正面視；外枠左辺部）２ａの間には、球抜き通路２６が形成されている。図１０（ｂ）に示すように外枠側部２ａの内壁面側には外枠凹部２ｂが形成される。外枠凹部２ｂは、外枠内壁面２ｃとその外枠内壁面２ｃの後方側から内側へ突出した補強リブ２ｄ、並びに外枠内壁面２ｃに突設された突出部２ｅの後壁２ｆとで形成されている。この外枠凹部２ｂが内枠側部３ａに閉止されて球抜き通路２６が形成される（図１０（ａ）参照）。内枠側部３ａは、球払出通路１９の外側側壁を形成し、かつ球抜き通路２６の内側側壁を形成している。よって、外枠２に対して内枠３が閉鎖状態にあるとき、球払出通路１９と球抜き通路２６は、左右方向に併設状態となる（図１０（ａ）参照）。
【００４１】
以上のように、球抜き通路２６の内壁として内枠側部３ａを用い外壁として外枠側部２ａとして外枠凹部２ｂを用いることにより、球抜き通路２６をパチンコ機１の側端部に配置することができ、パチンコ機１のほぼ中央に設けられる遊技領域の後方領域を拡大することができる。
また、外枠凹部２ｂを内枠側部３ａで覆う形態で球抜き通路２６を形成するので、球抜き通路２６を形成する側壁の厚みを省略でき省スペース化が図れるとともに、外枠２の構造も複雑にならないので、簡易かつ安価に遊技領域の後方領域を拡大することができる。
【００４２】
次に、球抜き動作の一例について説明する。
先ず、新台入れ替えやメンテナンスを行うためパチンコ機１から球抜き作業を行なう場合には、作業者が図１に示すシリンダー錠４５に図示しない鍵を挿入し、内枠３と外枠２が開放する方向へ回転操作して開錠し、内枠３を外枠２から開放する。
【００４３】
このとき、図１２（ａ）に示すように、操作部材２９は、規制部材２８と重ね合わされた位置に位置規制されている。即ち、規制部材２８が軸部２８ｂを中心にねじりコイルばね３４により反時計回り方向に付勢され、開閉弁２７のストッパー２７ｂに押し当てられて規制されている。また、操作部材２９はストッパー１６ｄにより、反時計回り方向への回転が規制されている。
また、図１３（ａ）に示すように、開閉弁２７は通路壁３５に閉じた状態にあり、タンクレール１５から球誘導路２４に流下した遊技球が回転体２５により受け止められたまま払出待機状態にある。
【００４４】
次に、図１２（ｂ）において、ホール店員等の操作者が、開放した内枠３の背面側において操作部材２９を規制部材２８のボス部２８ａを中心に時計回り方向に回転させる。具体的には、図１３（ｂ）において、操作部材２９の円弧状係合部２９ｂが軸部２８ｂから離間するように規制片２９ｃがストッパー１６ｄを押圧する（弾性変形させる）ことで当該ストッパー１６ｄによる規制を一時的に解除して回転操作される。尚、規制部材２８は、ねじりコイルばね３４に付勢されたままストッパー２７ｂに押し当てられているので、開閉弁２７は先端当接部２７ｄが通路壁３５の端部３５ａに突き当てられて球誘導路２４を閉鎖しており、球抜き動作は行われない状態にある。
【００４５】
次に、図１２（ｃ）において、操作者が操作部材２９を操作したまま（回転させたまま）、内枠３を外枠２に対して再度閉じる。内枠３が閉じる直前に、操作部材２９の先端側である円弧状係合部２９ｂが外枠２の外枠側部２ａと干渉するため、規制部材２８が軸部２８ｂを中心にねじりコイルばね３４の付勢に抗して時計回り方向に回転する。このとき、規制部材２８とストッパー２７ｂとの押接状態が解除されるため、規制部材２８による開閉弁２７の位置規制が解除され、開閉弁２７は、ボス部１６ｃを中心に回転可能な状態となる。
【００４６】
図１３（ｃ）に示すように、回転体２５に受け止められた最先の遊技球Ｙ１に連なる次の遊技球Ｙ２と後続球（Ｙ３，Ｙ４，…）の球圧によって開閉弁２７がボス部１６ｃを中心に反時計回り方向に回転することにより開放され、球誘導路２４と球抜き通路２６とが連通状態となる。よって、貯留タンク１４、タンクレール１５、球誘導路２４に存在する遊技球は、球抜き通路２６へ送り出される。球抜き通路２６を流下した遊技球は、当該球抜き通路２６の下端で受け口４４ａが開口する球抜き受け４４に受け入れられて、アウト球集合樋２２を通じて機外に排出される（図１１参照）。
【００４７】
そして、球抜きが終了した後は、鍵によりシリンダー錠４５を操作して内枠３を外枠２から開放する。このとき、ねじりコイルばね３４の付勢により復動した規制部材２８によってストッパー２７ｂが押し戻されて開閉弁２７がボス部１６ｃを中心に時計回り方向に回転し（図１３（ｂ）参照）、当該開閉弁２７が球誘導路２４の一部を形成する元の位置へ復動する。最後に、図１３（ａ）に示すように操作部材２９を規制部材２８のボス部２８ａを中心に反時計回り方向に回転させ、規制片２９ｃがストッパー１６ｄを押圧する（弾性変形させる）ことで当該ストッパー１６ｄによる規制を一時的に解除して円弧状係合部２９ｂを軸部２８ｂと係合させる。以上の操作により操作部材２９は、規制部材２８と重ね合わされた元の位置に位置規制されるので、球払出装置１７による払い出し動作が可能となる。
【００４８】
このように、回転体２５の負荷を軽減しつつ球圧による開閉弁２７の開放を許容することで簡易な構成で球抜き動作を開始することができる。また、回転体２５に受け止められて払出待機位置に存在する最先の遊技球Ｙ１に開閉弁２７が当接しないので、払出位置における回転体２５と通路壁３７のクリアランスを維持して払出動作を安定させることができる。
尚、払出待機位置に存在する最先の遊技球Ｙ１は、回転体２５を手動若しくはモータ３７を一時的に起動させて回転させることで回収することができる。
【００４９】
以上のように、内枠３を外枠２より開放した状態では球抜き動作が行なわれず、内枠３を外枠２に閉めることによって初めて球抜き動作を開始するので、球抜き通路２６からの遊技島外への球零れを防ぐことができる。また、操作部材２９を操作しても内枠開放状態では球抜き動作が開始されないので、一旦開放した内枠３を急いで閉める必要もなくなり、球抜き作業の労力を軽減しかつ遊技機部品の破損を防ぐことができる。
【００５０】
上述した各実施形態では、遊技機の一例としてパチンコ機について説明したが、他の遊技機、例えば雀球遊技機やアレンジボール遊技機などに適用してもよい。
【符号の説明】
【００５１】
１  パチンコ機
２  外枠
２ａ  外枠側部
２ｂ  外枠凹部  
２ｃ  外枠内壁面  
２ｄ  補強リブ  
２ｅ  突出部  
２ｆ  後壁  
２ｇ  外枠上辺部
３  内枠
３ａ  内枠側部  
４ａ  上ヒンジ部  
４ｂ  下ヒンジ部  
５  前面枠  
５ａ  窓部  
５ｂ  透明板
６  遊技盤  
７  ガイドレール  
８  図柄表示装置（液晶表示装置）  
９  電動チューリップ  
１０  アタッカー  
１１  装飾装置  
１２  球受け皿  
１３  発射ハンドル  
１４  貯留タンク  
１５  タンクレール  
１６  球払出ユニット  
１６ａ  ベース部  
１６ｂ  ケース体  
１６ｃ，１６ｅ，１６ｆ，２８ａ  ボス部  
１６ｄ，２７ｂ  ストッパー  
１６ｇ  スリット  
１６ｈ，２４ｄ，２７ａ，２８ｃ，２９ａ，４１ａ  軸孔  
１７  球払出装置  
１８  球抜き機構  
１９  球払出通路  
２０  球払出樋  
２１  盤裏カバー  
２２  アウト球集合樋  
２３  基板ケースカバー  
２４  球誘導路  
２４ａ  仕切り板  
２４ｂ  第１球誘導路  
２４ｃ  第２球誘導路  
２５  回転体  
２５ａ  円弧部  
２５ｂ  球受け凹部  
２５ｃ  第１回転体  
２５ｄ  第２回転体  
２６  球抜き通路  
２７  開閉弁  
２７ｃ  通路壁  
２７ｄ  先端当接部  
２８  規制部材  
２８ｂ，４２  軸部  
２９  操作部材  
２９ｂ  円弧状係合部  
２９ｃ  規制片  
３０，３１，３２，３３  ねじ  
３４  ねじりコイルばね  
３５  通路壁  
３５ａ  端部  
３６  誘導型近接スイッチ  
３７  モータ  
３７ａ  モータ軸  
３８  回転板  
３８ａ  スリット  
３９  払出検出器版  
３９ａ，４３ａ  フォトセンサ  
３９ｂ，４３ｂ  コネクタ
４０  連絡通路  
４１  満タンスイッチ  
４３  満タン検出基板  
４４  球抜き受け  
４４ａ  受け口  
４５  シリンダー錠
【図１】
2011015845.tif 000003
【図２】
2011015845.tif 000004
【図３】
2011015845.tif 000005
【図４】
2011015845.tif 000006
【図５】
2011015845.tif 000007
【図６】
2011015845.tif 000008
【図７】
2011015845.tif 000009
【図８】
2011015845.tif 000010
【図９】
2011015845.tif 000011
【図１０】
2011015845.tif 000012
【図１１】
2011015845.tif 000013
【図１２】
2011015845.tif 000014
【図１３】
2011015845.tif 000015